(57)【要約】      （修正有）【課題】操作部等を介した画像ファイルの保存先情報の入力に要するユーザーの手間と時間とを省くことができる画像読取装置を提供する。【解決手段】画像形成装置１において、画像読取装置２は、原稿を読み取って画像データを生成する画像読取部１１と、画像データから画像ファイルを生成する制御部１０と、予め定められるアイコン画像を示すアイコンデータと、画像ファイルの保存先を示すパスとを対応付けて予め記憶するＨＤＤ１９と、を備える。制御部１０は、画像データに基づいて、アイコンデータによって示されるアイコン画像が原稿に含まれると判定した場合に、当該アイコンデータに対応するパスによって示されるフォルダーに、画像データから生成された画像ファイルを保存する。【選択図】図２
2020068517.tif 000002
【特許請求の範囲】
【請求項１】
原稿を読み取って画像データを生成する画像読取部と、
前記画像データから画像ファイルを生成する制御部と、
予め定められる記号を示す記号情報と、前記画像ファイルの保存先を示す保存先情報とを対応付けて予め記憶する記憶部と、を備え、
前記制御部は、前記画像データに基づいて、前記記号情報によって示される記号が前記原稿に含まれると判定した場合に、前記記号情報に対応する前記保存先情報によって示される保存先に、前記画像データから生成された前記画像ファイルを保存する、画像読取装置。
【請求項２】
ユーザーによる指示が入力される入力部をさらに備え、
前記記憶部はさらに、複数の前記記号情報のそれぞれについて、対応する前記保存先の優先順位を示す順位情報を対応付けて予め記憶し、
前記制御部は、前記入力部を介して前記優先順位が指定された場合に、前記画像データに基づいて、指定された前記優先順位を示す前記順位情報に対応する前記記号情報によって示される記号が前記原稿に含まれると判定した場合に、前記記号情報に対応する前記保存先情報によって示される保存先に、前記画像データから生成された前記画像ファイルを保存する、請求項１に記載の画像読取装置。
【請求項３】
前記制御部は、前記入力部を介して前記優先順位の範囲が指定された場合に、前記画像データに基づいて、指定された前記範囲に含まれる複数の前記順位情報のそれぞれに対応する複数の前記記号情報のうちの少なくともいずれか１つによって示される記号が前記原稿に含まれると判定した場合に、前記少なくともいずれか１つの前記記号情報に対応する前記保存先情報によって示される保存先に、前記画像データから生成された前記画像ファイルを保存する、請求項２に記載の画像読取装置。
【請求項４】
ユーザーによる指示が入力される入力部をさらに備え、
前記記憶部はさらに、グループを特定するためのグループ情報を、前記グループに属する複数の前記記号情報と対応付けて予め記憶し、
前記制御部は、前記入力部を介して前記グループ情報が指定された場合に、前記画像データに基づいて、指定された前記グループ情報に対応する複数の前記記号情報のうちの少なくともいずれか１つによって示される記号が前記原稿に含まれると判定した場合に、前記少なくともいずれか１つの前記記号情報に対応する前記保存先情報によって示される保存先に、前記画像データから生成された前記画像ファイルを保存する、請求項１乃至請求項３のいずれかに記載の画像読取装置。
【請求項５】
前記制御部は、前記画像データに基づいて、前記原稿に含まれる画像の色及び形状と、前記記号情報によって示される記号の色及び形状とが一致する場合に、前記原稿に含まれる画像に前記記号が含まれると判定する、請求項１乃至請求項４のいずれかに記載の画像読取装置。
【発明の詳細な説明】
【技術分野】
【０００１】
本発明は、画像読取装置に関し、特に、画像ファイルを保存するための技術に関する。
【背景技術】
【０００２】
一般的に、画像ファイルの保存又は送信を行なう場合、ユーザーは、操作部等を介して、画像ファイルの保存先又は送信先を示す情報の入力を行なうことによって、保存先又は送信先等の設定を行なう。このような場合、ユーザーは、画像ファイルの保存又は送信を行なう都度、上記の入力を行なう必要があるため、手間及び時間がかかるという問題がある。
【０００３】
特許文献１には、キー操作による宛先情報の入力の煩わしさを解消するために、宛先情報が登録されているＱＲコード（登録商標）が記載されている送信用マークシートを読取り、ＱＲコードを解析することによって得られる宛先情報に対して、自動発呼を行なうファクシミリ装置が開示されている。
【先行技術文献】
【特許文献】
【０００４】
【特許文献１】特開２００７−１１０４２１号公報
【発明の概要】
【発明が解決しようとする課題】
【０００５】
しかしながら、特許文献１に開示される技術は、ＱＲコードに登録されている宛先に対して画像ファイルを送信する技術であり、ＱＲコード以外の記号を用いて上記した問題を解決することはできない。
【０００６】
本発明は、上記の事情に鑑みなされたものであり、操作部等を介した画像ファイルの保存先情報の入力に要するユーザーの手間と時間とを省くことを目的とする。
【課題を解決するための手段】
【０００７】
本発明の一局面に係る画像読取装置は、原稿を読み取って画像データを生成する画像読取部と、画像データから画像ファイルを生成する制御部と、予め定められる記号を示す記号情報と、画像ファイルの保存先を示す保存先情報とを対応付けて予め記憶する記憶部と、を備える。制御部は、画像データに基づいて、記号情報によって示される記号が原稿に含まれると判定した場合に、記号情報に対応する保存先情報によって示される保存先に、画像データから生成された画像ファイルを保存する。
【発明の効果】
【０００８】
本発明によれば、ユーザーは、原稿に記号を記載しておくのみで、保存先を指定する作業を行わなくても、記号に対応する保存先に画像ファイルを保存させることができる。したがって、操作部等を介した画像ファイルの保存先情報の入力に要するユーザーの手間と時間とを省くことができるので、ユーザーの利便性が向上する。
【図面の簡単な説明】
【０００９】
【図１】本発明の一実施形態に係る画像読取装置を含む画像形成装置の外観を示す斜視図である。
【図２】本発明の一実施形態に係る画像読取装置を含む画像形成装置の内部構成を示すブロック図である。
【図３Ａ】第１の情報の一例を示す図である。
【図３Ｂ】第２の情報の一例を示す図である。
【図４】画像ファイル保存処理を示すフローチャートである。
【図５】ホーム画面の一例を示す図である。
【図６】設定画面の一例を示す図である。
【図７】原稿の一例を示す図である。
【図８】画像ファイルの保存方法を指定するときの設定画面の状態を示す図である。
【図９】優先順位の範囲を指定するときの設定画面の一例を示す図である。
【図１０】優先順位を指定するときの設定画面の一例を示す図である。
【図１１】グループを指定するときの設定画面の一例を示す図である。
【図１２】エラー画面の一例を示す図である。
【発明を実施するための形態】
【００１０】
以下、本発明の一実施形態に係る画像読取装置について図面を参照して説明する。図１は、本発明の一実施形態に係る画像読取装置を含む画像形成装置の外観を示す斜視図である。図１を参照して、画像形成装置１は、ファクシミリ機能、コピー機能、プリンター機能、及びスキャナー機能等の複数の機能を兼ね備える複合機である。
【００１１】
画像形成装置１は、スキャナー機能によって生成される画像ファイルを、原稿に含まれるアイコン画像に対応するフォルダーに保存する画像ファイル保存機能を備える。本実施の形態において、画像形成装置１は、例えば、営業部、人事部、及び開発部等の部門を含む会社に設置されている。当該会社の従業員は、画像ファイル保存機能を利用することによって、例えば、営業部を示すアイコンを原稿に記載しておくのみで、当該原稿に基づいて生成される画像ファイルを、操作部等を介して保存先に関する情報を入力することなく、営業部の構成員が利用する共有フォルダーに保存することができる。以下、画像ファイル保存機能を実現するための具体的構成について説明する。
【００１２】
図１を参照して、画像形成装置１の筐体７には、画像形成装置１の様々な機能を実現するための複数の機器が収容されている。例えば、筐体７には、画像読取部１１、画像形成部１２（図１には図示しない。）、定着部１３（図１には図示しない。）、及び給紙部１４等が収容されている。
【００１３】
画像読取部１１は、原稿を搬送する原稿搬送部６と、原稿搬送部６により搬送される原稿又は不図示のコンタクトガラスに載置される原稿を光学的に読み取るスキャナーと、を含むＡＤＦ（Auto Document Feeder）である。画像読取部１１は、光照射部により原稿を照射し、その反射光をＣＣＤ（Charge-Coupled Device）センサーで受光することによって、原稿を読み取って画像データを生成する。
【００１４】
画像形成部１２は、感光体ドラム、帯電装置、露光装置、現像装置、及び転写装置を含む。画像形成部１２は、画像読取部１１によって生成される画像データ、ネットワークを介して接続されるＰＣ(Personal Computer)から送られる画像データ、又は他のファクシミリ装置から送られる画像データ等に基づいて、給紙部１４から供給される記録紙にトナー像によって構成される画像を形成する。
【００１５】
定着部１３は、画像形成部１２によって表面にトナー像が形成された記録紙を加熱及び加圧することによってトナー像を記録紙に定着させる。定着部１３によってトナー像が定着された記録紙は排紙トレイ８に排出される。
【００１６】
給紙部１４は、用紙カセットに収容される記録紙、又は手差しトレイに載置される記録紙を図示しないピックアップローラーによって１枚ずつ引出して画像形成部１２へと送り出す。
【００１７】
画像形成装置１は、操作部１５を備える。ユーザーは、操作部１５を介して、画像形成装置１によって実行可能な各種機能についての指示等を入力する。操作部１５はまた、表示部１６を含む。表示部１６は、液晶ディスプレイを含む表示装置である。表示部１６は、画像形成装置１によって実行可能な各種機能に関する各種の画面を表示する。操作部１５はさらに、表示部１６に重ねて配置されるタッチパネル１５Ａを含む。操作部１５は、特許請求の範囲における入力部の一例である。
【００１８】
図２は、本発明の一実施形態に係る画像読取装置を含む画像形成装置の内部構成を示すブロック図である。図２を参照して、画像形成装置１は、制御ユニット１００を含む。制御ユニット１００は、プロセッサー、ＲＡＭ(Random Access Memory）、及びＲＯＭ（Read Only Memory）等を含む。プロセッサーは、例えば、ＣＰＵ（Central Processing Unit）、ＭＰＵ（Micro Processing Unit）、又はＡＳＩＣ（Application Specific Integrated Circuit）等である。制御ユニット１００は、内蔵するＲＯＭ又はＨＤＤ（Hard Disk Drive）１９に記憶されている制御プログラムが上記のプロセッサーによって実行されることにより、制御部１０として機能する。
【００１９】
制御ユニット１００は、原稿搬送部６、画像読取部１１、画像形成部１２、定着部１３、給紙部１４、操作部１５、画像処理部１７、画像メモリー１８、ＨＤＤ１９、ファクシミリ通信部２０、及び通信部２１等と電気的に接続される。本実施の形態において、原稿搬送部６、画像読取部１１、操作部１５、表示部１６、ＨＤＤ１９、及び制御ユニット１００は、画像読取装置２として機能する。
【００２０】
制御部１０は、画像形成装置１の全体制御を司る。より詳細には、制御部１０は、画像形成装置１の各部の動作、及び、ネットワークを介して接続されるＰＣ又はサーバー等の情報処理装置２２との通信等を制御する。また、制御部１０として、画像ファイル保存処理（詳細は後述）を実行する。
【００２１】
画像処理部１７は、画像読取部１１によって生成される画像データに対して、必要に応じて画像処理を実行する。
【００２２】
画像メモリー１８は、画像読取部１１によって生成される印刷対象の画像データを一時的に記憶する領域を含む。
【００２３】
ＨＤＤ１９は、画像読取部１１によって生成される画像データに基づく画像ファイルを含む各種データを記憶する大容量の記憶装置である。ＨＤＤ１９は、画像形成装置１の一般的な動作を実現するための各種制御プログラムを記憶する。ＨＤＤ１９は、特許請求の範囲における記憶部の一例である。
【００２４】
ＨＤＤ１９は、本実施の形態に係る画像ファイル保存処理を実行するための画像ファイル保存プログラムを記憶する。上記のプロセッサーは、画像ファイル保存プログラムに従って動作することにより、制御部１０として、画像ファイル保存処理を実行する。画像ファイル保存プログラムは、上記制御プログラムに含まれているものとする。
【００２５】
なお、制御部１０は、制御プログラムに基づく動作によらず、ハード回路により動作可能に構成されてもよいし、２つ以上の制御ユニットによって実現される構成であってもよい。
【００２６】
ＨＤＤ１９は、予め定められるアイコン画像を示す画像データ（以下「アイコンデータ」と記す。）と、スキャナー機能によって生成される画像ファイルの保存先のフォルダーを示すディレクトリーパス（以下、単に「パス」と記す。）と、保存先の優先順位を示す順位情報と、を対応付けて、第１の情報として予め記憶する。アイコンデータは、特許請求の範囲における記号情報の一例である。パスは、特許請求の範囲における保存先情報の一例である。
【００２７】
第１の情報は、ユーザーによって、操作部１５等を介して入力される。ユーザーは、保存先のフォルダーの使用頻度、又は、保存先のフォルダーの重要度等に応じて、優先順位を設定することができる。
【００２８】
図３Ａは、第１の情報の一例を示す図である。図３Ａを参照して、本実施の形態において、ＨＤＤ１９は、第１の情報３０として、複数の情報３１乃至３７を記憶している。ＨＤＤ１９は、例えば、情報３１として、営業部を示すアイコン画像を示すアイコンデータと、「A:\hh\sales」というパスと、「第１位」という優先順位とを対応付けて予め記憶している。ＨＤＤ１９はまた、情報３２として、企画部を示すアイコン画像を示すアイコンデータと、「B:\ii\planning」というパスと、「第２位」という優先順位とを対応付けて予め記憶している。
【００２９】
ＨＤＤ１９は、グループを特定するためのグループ名と、グループに属する複数のアイコンデータと、を対応付けて、第２の情報として予め記憶する。グループ名は、特許請求の範囲におけるグループ情報の一例である。ユーザーは、操作部１５を介した入力によって、予め登録されている複数のアイコンデータを指定して、グループとして登録できる。
【００３０】
図３Ｂは、第２の情報の一例を示す図である。図３Ｂを参照して、本実施の形態において、ＨＤＤ１９は、第２の情報４０として、情報４１乃至４３を記憶している。ＨＤＤ１９は、例えば、情報４１として、「第１グループ」というグループ名と、人事部を示すアイコン画像を示すアイコンデータ、経理部を示すアイコン画像を示すアイコンデータ、及び総務部を示すアイコン画像を示すアイコンデータと、を対応付けて予め記憶している。ＨＤＤ１９はまた、情報４２として、「第２グループ」というグループ名と、営業部を示すアイコン画像に対応するアイコンデータ、企画部を示すアイコン画像に対応するアイコンデータ、及び開発部を示すアイコン画像に対応するアイコンデータと、を対応付けて予め記憶している。
【００３１】
ファクシミリ通信部２０は、公衆回線への接続を行ない、公衆回線を介して画像データの送受信を行なう。
【００３２】
通信部２１は、ＬＡＮボード等の通信モジュールを含む。画像形成装置１は、通信部２１を介して、ネットワーク上のＰＣ又はサーバー等の情報処理装置２２とデータ通信を行なう。
【００３３】
画像形成装置１の各部には図示しない電源が接続され、この電源から電力が供給されることによって、画像形成装置１の各部が動作する。
【００３４】
［動作］
図４は、画像ファイル保存処理を示すフローチャートである。以下、画像ファイル保存処理を実行するために、画像形成装置１で実行される画像ファイル保存プログラムの制御構造について、画像形成装置１の動作と併せて説明する。画像ファイル保存プログラムは、画像読取部１１による原稿の読取りを開始する指示を入力するための後述するスタートキーが押下されることによって実行される。
【００３５】
画像形成装置１の電源が投入されると、制御部１０は、表示部１６に、画像形成装置１によって実行可能な複数の機能のうちのいずれかを選択するためのホーム画面を表示させる。図５は、ホーム画面の一例を示す図である。図５を参照して、ホーム画面５０は、ソフトキーとして、コピー機能を選択するためのキー５２、送信機能を選択するためのキー５４、ファクシミリ機能を選択するためのキー５６、及び、画像ファイル保存機能を選択するためのキー５８等を含む。
【００３６】
ユーザーは、画像ファイル保存機能の利用を所望して、ホーム画面５０のキー５８を押下したものとする。制御部１０は、タッチパネル１５Ａを介してキー５８の押下を検知すると、表示部１６に、画像ファイルの保存先を設定するための設定画面を表示させる。
【００３７】
図６は、設定画面の一例を示す図である。図６を参照して、設定画面６０は、優先度の設定を有効にするためのチェックボックス６１と、優先度の設定を無効にするためのチェックボックス６２と、を含む。設定画面６０に基づくユーザーによる操作で、優先度が有効に設定され、当該有効の設定が制御部１０に受け付けられている場合には、制御部１０は、ＨＤＤ１９に記憶されている順位情報又はグループ情報を用いて、画像ファイルの保存先を設定する。設定画面６０に基づくユーザーによる操作で、優先度が無効に設定され、当該無効の設定が制御部１０に受け付けられている場合は、制御部１０は、順位情報又はグループ情報を用いた画像ファイルの保存先の設定を行なわない。
【００３８】
設定画面６０は、現在指定されている画像ファイルの保存方法を表示するための領域６３と、現在指定されている優先順位又はグループ名を表示するための領域６４と、ＨＤＤ１９に記憶されている第１の情報によって示される情報を表示する領域６５と、を含む。設定画面６０は、ソフトキーとして、画像読取部１１による原稿の読取りを開始する指示を入力するためのスタートキー６６を含む。
【００３９】
（１）優先度が無効に設定されている場合
図６を参照して、ユーザーは、設定画面６０を確認して、チェックボックス６２にチェックを入力し、これによって、優先度を無効に設定する指示がタッチパネル１５Ａを介して制御部１０に受け付けられているものとする。チェックの入力後、ユーザーは、画像読取部１１の図略のコンタクトガラスに原稿を載置して、スタートキー６６を押下したものとする。
【００４０】
図７は、原稿の一例を示す図である。図７を参照して、原稿７０は、保存の対象となる、文字群７１Ａ及び画像７１Ｂを含む。原稿７０はまた、営業部を示すアイコン画像７２と、企画部を示すアイコン画像７３と、人事部を示すアイコン画像７４と、経理部を示すアイコン画像７５と、情報システム部を示すアイコン画像７６と、開発部を示すアイコン画像７７と、総務部を示すアイコン画像７８と、を含む。アイコン画像７２乃至７８は、原稿７０において、アイコン画像を含む領域として予め定められるフッター領域７９に含まれる。
【００４１】
図４を参照して、制御部１０は、タッチパネル１５Ａを介してスタートキー６６の押下を検知すると、画像読取部１１に対し、図略のコンタクトガラスに載置されている原稿７０を読み取らせて画像データを生成させる（ステップＳ１０）。画像データの生成後、制御部１０は、優先度が有効に設定されているか否かを判定する（ステップＳ１１）。
【００４２】
この場合、上記のようにして受け付けた優先度を無効に設定する指示に従って、制御部１０は、優先度が無効に設定されていると判定し（ステップＳ１１にてＮＯ）、ＨＤＤ１９に記憶されている全てのアイコンデータを読出す（ステップＳ１２）。この場合、制御部１０は、図３Ａに示す情報３１乃至３７にそれぞれ含まれるアイコンデータを、ＨＤＤ１９から読出す。
【００４３】
アイコンデータの読出し後、制御部１０は、生成された画像データに基づいて、読出されたアイコンデータによって示されるアイコン画像として認識される画像が原稿に存在するか否かを判定する（ステップＳ１３）。具体的には、制御部１０は、読出されたアイコンデータを用いて、生成された画像データに対して一般的なテンプレートマッチングを行なうことによって、ステップＳ１３の判定を行なう。
【００４４】
このとき、制御部１０は、例えば既知のパターンマッチング技術により、原稿に含まれる画像の色及び形状と、アイコンデータによって示されるアイコン画像の色及び形状とが一致するか否かを判定する。制御部１０は、原稿に含まれる画像の色及び形状と、アイコンデータによって示されるアイコン画像の色及び形状とが一致すると判定した場合に、原稿に含まれる画像を、アイコンデータによって示されるアイコン画像として認識する。なお、制御部１０は、パターンマッチング技術により上記判定を行う場合、原稿に含まれる画像の色及び形状と、アイコンデータによって示されるアイコン画像の色及び形状との同一性が予め定められた値（例えば８０％）に達していれば、上記両画像が一致していると判定してもよい。
【００４５】
この場合、制御部１０は、原稿７０に含まれるアイコン画像７２乃至７８を、読出されたアイコンデータによって示されるアイコン画像として認識する。したがって、制御部１０は、読出されたアイコンデータによって示されるアイコン画像として認識される画像が原稿に存在すると判定し（ステップＳ１３にてＹＥＳ）、生成された画像データを用いて、例えばＰＤＦ(Portable Document Format)形式の画像ファイルを生成する（ステップＳ１４）。
【００４６】
このとき、制御部１０は、フッター領域７９に含まれるアイコン画像７２乃至７８を上記生成された画像データから削除し、当該アイコン画像７２乃至７８が削除された画像データを用いて画像ファイルを生成する。すなわち、生成された画像ファイルは、文字群７１Ａ及び画像７１Ｂのみを示す。
【００４７】
画像ファイルの生成後、制御部１０は、原稿に含まれていると認識されたアイコン画像を示すアイコンデータに対応するパスによって示されるフォルダーに、生成された画像ファイルを保存する（ステップＳ１５）。この場合、制御部１０は、情報３１乃至３７に含まれるパスによって示される７つのフォルダーに、生成された画像ファイルを記憶させる。
【００４８】
なお、読出されたアイコンデータのうちに、原稿に含まれていると認識されていないアイコン画像を示すアイコンデータが存在する場合、当該アイコンデータに対応するフォルダーには、画像ファイルは保存されない。
【００４９】
（２）優先度が有効に設定されている場合
（２−１）指定されている優先順位の範囲に対応するフォルダーに画像ファイルを保存する場合
ユーザーは、設定画面６０を確認して、チェックボックス６１にチェックを入力し、これによって、優先度を有効に設定する指示がタッチパネル１５Ａを介して制御部１０に受け付けられているものとする。チェックの入力後、ユーザーは、画像ファイルの保存方法を指定するために、ボタン６７を押下したものとする。
【００５０】
図８は、画像ファイルの保存方法を指定するときの設定画面の状態を示す図である。図８を参照して、制御部１０は、タッチパネル１５Ａを介してボタン６７の押下を検知すると、設定画面６０上に、プルダウンリスト８１を表示させる。プルダウンリスト８１は、画像ファイルの保存方法を示す項目として、「指定順位まで」という方法を示す第１項目と、「指定順位のみ」という方法を示す第２項目と、「指定グループ」という方法を示す第３項目と、を含む。
【００５１】
ここで、「指定順位まで」という方法は、指定されている優先順位の範囲に対応するフォルダーに画像ファイルを保存する方法を示す。本実施の形態において、上記優先順位の範囲とは、第１位から指定されている優先順位までの範囲を示す。「指定順位のみ」という方法は、指定されている優先順位に対応するフォルダーに画像ファイルを保存する方法を示す。「指定グループ」という方法は、指定されているグループに属するフォルダーに画像ファイルを保存する方法を示す。
【００５２】
ユーザーは、プルダウンリスト８１を確認して、第１項目が表示されている領域を押下し、これによって、第１項目に対応する保存方法を設定する指示がタッチパネル１５Ａを介して制御部１０に受け付けられているものとする。制御部１０は、タッチパネル１５Ａを介して当該領域の押下を検知すると、領域６３に「指定順位まで」という保存方法を示す情報を表示させる。ユーザーは、領域６３に表示されている保存方法を確認して、優先順位の範囲を指定するために、ボタン６８を押下したものとする。
【００５３】
図９は、優先順位の範囲を指定するときの設定画面の一例を示す図である。図９を参照して、制御部１０は、タッチパネル１５Ａを介してボタン６８の押下を検知すると、設定画面６０上に、プルダウンリスト９１を表示させる。プルダウンリスト９１は、ＨＤＤ１９に記憶されている全ての順位情報によって示される順位をそれぞれ示す項目を含む。この場合、プルダウンリスト９１は、第１位から第7位までの順位をそれぞれ示す項目を含む。
【００５４】
設定画面６０はまた、順位を示す項目をプルダウンリスト９１に全て表示できない場合に、ユーザーによる操作にしたがって、プルダウンリスト９１に表示される設定内容を変更するためのスクロールバー９２を含む。
【００５５】
ユーザーは、プルダウンリスト９１を確認して、「第２位」という優先順位が表示されている領域９１Ａを押下したものとする。制御部１０は、タッチパネル１５Ａを介して領域９１Ａの押下を検知すると、領域６４に「第２位」という優先順位を示す情報を表示させる。ユーザーは、領域６４に表示されている優先順位を確認して、画像読取部１１の図略のコンタクトガラスに原稿７０を載置して、スタートキー６６を押下したものとする。
【００５６】
図４を参照して、制御部１０は、スタートキー６６の押下を検知すると、画像読取部１１に対し、図略のコンタクトガラスに載置されている原稿７０を読み取らせて画像データを生成させる（ステップＳ１０）。画像データの生成後、制御部１０は、優先度が有効に設定されているか否かを判定する（ステップＳ１１）。
【００５７】
この場合、上記のようにして受け付けた優先度を有効に設定する指示に従って、制御部１０は、優先度が有効に設定されていると判定し（ステップＳ１１にてＹＥＳ）、第１項目が指定されているか否かを判定する（ステップＳ１６）。
【００５８】
この場合、上記のようにして受け付けた第１項目に対応する保存方法を設定する指示に従って、制御部１０は、第１項目が指定されていると判定し（ステップＳ１６にてＹＥＳ）、指定されている優先順位の範囲に対応するアイコンデータをＨＤＤ１９から読出す（ステップＳ１７）。具体的には、制御部１０は、タッチパネル１５Ａから出力される信号に基づいて、指定されている優先順位を特定し、第１位から特定された優先順位までの範囲に含まれる複数の順位情報のそれぞれに対応するアイコンデータをＨＤＤ１９から読出す。
【００５９】
この場合、ユーザーによって「第２位」という優先順位が指定されているので、制御部１０は、第１位に対応する、営業部を示すアイコン画像に対応するアイコンデータと、第２位に対応する、企画部を示すアイコン画像に対応するアイコンデータと、をＨＤＤ１９から読出す。なお、指定されている優先順位が「第１位」である場合、制御部１０は、第１位に対応するアイコンデータのみを読出す。
【００６０】
アイコンデータの読出し後、制御部１０は、生成された画像データに基づいて、読出されたアイコンデータによって示されるアイコン画像として認識される画像が原稿に存在するか否かを判定する（ステップＳ１３）。この場合、制御部１０は、原稿７０に含まれるアイコン画像７２，７３を、読出されたアイコンデータによって示されるアイコン画像として認識する。したがって、制御部１０は、読出されたアイコンデータによって示されるアイコン画像として認識される画像が原稿に存在すると判定し（ステップＳ１３にてＹＥＳ）、生成された画像データを用いて、例えばＰＤＦ形式の画像ファイルを生成する（ステップＳ１４）。
【００６１】
画像ファイルの生成後、制御部１０は、原稿に含まれていると認識されたアイコン画像を示すアイコンデータに対応するパスによって示されるフォルダーに、生成された画像ファイルを保存する（ステップＳ１５）。この場合、制御部１０は、情報３１，３２に含まれるパスによって示されるフォルダーに、生成された画像ファイルを記憶させる。
【００６２】
（２−２）指定されている優先順位に対応するフォルダーに画像ファイルを保存する場合
ユーザーは、設定画面６０を確認して、チェックボックス６１にチェックを入力し、これによって、優先度を有効に設定する指示がタッチパネル１５Ａを介して制御部１０に受け付けられているものとする。チェックの入力後、ユーザーは、画像ファイルの保存方法を指定するために、ボタン６７を押下したものとする。
【００６３】
制御部１０は、タッチパネル１５Ａを介してボタン６７の押下を検知すると、設定画面６０上に、プルダウンリスト８１を表示させる。ユーザーは、プルダウンリスト８１を確認して、第２項目が表示されている領域を押下し、これによって、第２項目に対応する保存方法を設定する指示がタッチパネル１５Ａを介して制御部１０に受け付けられているものとする。制御部１０は、タッチパネル１５Ａを介して当該領域の押下を検知すると、領域６３に「指定順位のみ」という保存方法を示す情報を表示させる。ユーザーは、領域６３に表示されている保存方法を確認して、優先順位を指定するために、ボタン６８を押下したものとする。
【００６４】
図１０は、優先順位を指定するときの設定画面の一例を示す図である。図１０を参照して、制御部１０は、タッチパネル１５Ａを介してボタン６８の押下を検知すると、設定画面６０上に、プルダウンリスト１０１を表示させる。プルダウンリスト１０１は、ＨＤＤ１９に記憶されている全ての順位情報によって示される順位をそれぞれ示す項目を含む。この場合、プルダウンリスト１０１は、第１位から第7位までの順位をそれぞれ示す項目を含む。
【００６５】
設定画面６０はまた、順位を示す項目をプルダウンリスト１０１に全て表示できない場合に、ユーザーによる操作にしたがって、プルダウンリスト１０１に表示される設定内容を変更するためのスクロールバー１０２を含む。
【００６６】
ユーザーは、プルダウンリスト１０１を確認して、「第３位」という優先順位が表示されている領域１０１Ａを押下したものとする。制御部１０は、タッチパネル１５Ａを介して領域１０１Ａの押下を検知すると、領域６４に「第３位」という優先順位を示す情報を表示させる。ユーザーは、領域６４に表示されている優先順位を確認して、画像読取部１１の図略のコンタクトガラスに原稿７０を載置して、スタートキー６６を押下したものとする。
【００６７】
図４を参照して、制御部１０は、スタートキー６６の押下を検知すると、画像読取部１１に対し、図略のコンタクトガラスに載置されている原稿７０を読み取らせて画像データを生成させる（ステップＳ１０）。画像データの生成後、制御部１０は、優先度が有効に設定されているか否かを判定する（ステップＳ１１）。
【００６８】
この場合、上記のようにして受け付けた優先度を有効に設定する指示に従って、制御部１０は、優先度が有効に設定されていると判定し（ステップＳ１１にてＹＥＳ）、第１項目が指定されているか否かを判定する（ステップＳ１６）。
【００６９】
この場合、上記のようにして受け付けた第２項目に対応する保存方法を設定する指示に従って、制御部１０は、第１項目が指定されていないと判定し（ステップＳ１６にてＮＯ）、第２項目が指定されているか否かを判定する（ステップＳ１８）。制御部１０は、第２項目が指定されていると判定し（ステップＳ１８にてＹＥＳ）、指定されている優先順位に対応するアイコンデータをＨＤＤ１９から読出す（ステップＳ１９）。
【００７０】
具体的には、制御部１０は、タッチパネル１５Ａから出力される信号に基づいて、指定されている優先順位を特定し、特定した優先順位を示す順位情報に対応するアイコンデータをＨＤＤ１９から読出す。この場合、ユーザーによって「第３位」という優先順位が指定されているので、制御部１０は、第３位に対応する、人事部を示すアイコン画像に対応するアイコンデータをＨＤＤ１９から読出す。
【００７１】
アイコンデータの読出し後、制御部１０は、生成された画像データに基づいて、読出されたアイコンデータによって示されるアイコン画像として認識される画像が原稿に存在するか否かを判定する（ステップＳ１３）。この場合、制御部１０は、原稿７０に含まれるアイコン画像７４を、読出されたアイコンデータによって示されるアイコン画像として認識する。したがって、制御部１０は、読出されたアイコンデータによって示されるアイコン画像として認識される画像が原稿に存在すると判定し（ステップＳ１３にてＹＥＳ）、生成された画像データを用いて、例えばＰＤＦ形式の画像ファイルを生成する（ステップＳ１４）。
【００７２】
画像ファイルの生成後、制御部１０は、原稿に含まれていると認識されたアイコン画像を示すアイコンデータに対応するパスによって示されるフォルダーに、生成された画像ファイルを保存する（ステップＳ１５）。この場合、制御部１０は、情報３３に含まれるパスによって示されるフォルダーに、生成された画像ファイルを記憶させる。
【００７３】
（２−３）指定されているグループに対応するフォルダーに画像ファイルを保存する場合
ユーザーは、設定画面６０を確認して、チェックボックス６１にチェックを入力し、これによって、優先度を有効に設定する指示がタッチパネル１５Ａを介して制御部１０に受け付けられているものとする。チェックの入力後、ユーザーは、画像ファイルの保存方法を指定するために、ボタン６７を押下したものとする。
【００７４】
制御部１０は、タッチパネル１５Ａを介してボタン６７の押下を検知すると、設定画面６０上に、プルダウンリスト８１を表示させる。ユーザーは、プルダウンリスト８１を確認して、第３項目が表示されている領域を押下し、これによって、第３項目に対応する保存方法を設定する指示がタッチパネル１５Ａを介して制御部１０に受け付けられているものとする。制御部１０は、タッチパネル１５Ａを介して当該領域の押下を検知すると、領域６３に「指定グループ」という保存方法を示す情報を表示させる。ユーザーは、領域６３に表示されている保存方法を確認して、グループを指定するために、ボタン６８を押下したものとする。
【００７５】
図１１は、グループを指定するときの設定画面の一例を示す図である。図１１を参照して、制御部１０は、タッチパネル１５Ａを介してボタン６８の押下を検知すると、設定画面６０上に、プルダウンリスト１１１を表示させる。プルダウンリスト１１１は、ＨＤＤ１９に記憶されている全てのグループ情報によって示されるグループ名をそれぞれ示す項目を含む。この場合、プルダウンリスト１１１は、第１グループから第３グループまでのグループ名をそれぞれ示す項目を含む。
【００７６】
ユーザーは、プルダウンリスト１１１を確認して、「第２グループ」というグループ名が表示されている領域１１１Ａを押下したものとする。制御部１０は、タッチパネル１５Ａを介して領域１１１Ａの押下を検知すると、領域６４に「第２グループ」というグループ名を示す情報を表示させる。ユーザーは、領域６４に表示されているグループ名を確認して、画像読取部１１の図略のコンタクトガラスに原稿７０を載置して、スタートキー６６を押下したものとする。
【００７７】
図４を参照して、制御部１０は、スタートキー６６の押下を検知すると、画像読取部１１に対し、図略のコンタクトガラスに載置されている原稿７０を読み取らせて画像データを生成させる（ステップＳ１０）。画像データの生成後、制御部１０は、優先度が有効に設定されているか否かを判定する（ステップＳ１１）。
【００７８】
この場合、上記のようにして受け付けた優先度を有効に設定する指示に従って、制御部１０は、優先度が有効に設定されていると判定し（ステップＳ１１にてＹＥＳ）、第１項目が指定されているか否かを判定する（ステップＳ１６）。
【００７９】
この場合、上記のようにして受け付けた第３項目に対応する保存方法を設定する指示に従って、制御部１０は、第１項目が指定されていないと判定し（ステップＳ１６にてＮＯ）、第２項目が指定されているか否かを判定する（ステップＳ１８）。制御部１０は、第２項目が指定されていない、すなわち、第３項目が指定されていると判定し（ステップＳ１８にてＮＯ）、指定されているグループ名に対応するアイコンデータをＨＤＤ１９から読出す（ステップＳ２０）。
【００８０】
具体的には、制御部１０は、タッチパネル１５Ａから出力される信号に基づいて、指定されているグループ名を特定し、特定したグループ名に対応するアイコンデータをＨＤＤ１９から読出す。この場合、ユーザーによって「第２グループ」というグループ名が指定されているので、制御部１０は、営業部を示すアイコン画像に対応するアイコンデータと、企画部を示すアイコン画像に対応するアイコンデータと、開発部を示すアイコン画像に対応するアイコンデータと、をＨＤＤ１９から読出す。
【００８１】
アイコンデータの読出し後、制御部１０は、生成された画像データに基づいて、読出されたアイコンデータによって示されるアイコン画像として認識される画像が原稿に存在するか否かを判定する（ステップＳ１３）。この場合、制御部１０は、原稿７０に含まれるアイコン画像７２，７３，７７を、読出されたアイコンデータによって示されるアイコン画像として認識する。したがって、制御部１０は、読出されたアイコンデータによって示されるアイコン画像として認識される画像が原稿に存在すると判定し（ステップＳ１３にてＹＥＳ）、生成された画像データを用いて、例えばＰＤＦ形式の画像ファイルを生成する（ステップＳ１４）。
【００８２】
画像ファイルの生成後、制御部１０は、原稿に含まれていると認識されたアイコン画像を示すアイコンデータに対応するパスによって示されるフォルダーに、生成された画像ファイルを保存する（ステップＳ１５）。この場合、制御部１０は、情報３１，３２，３６に含まれるパスによって示されるフォルダーに、生成された画像ファイルを記憶させる。
【００８３】
（３）アイコン画像が認識されない場合
制御部１０は、読出されたアイコンデータによって示されるアイコン画像として認識される画像が原稿に存在しないと判定した場合（ステップＳ１３にてＮＯ）、表示部１６に、エラー画面を表示させる（ステップＳ２１）。
【００８４】
ここで、原稿に含まれる画像に、上記アイコン画像として認識される画像が存在しないと判定される場合とは、例えば、原稿に含まれる画像の形状と、読出されたアイコンデータによって示されるアイコン画像の形状とが一致するものの、原稿に含まれる画像の色と、上記アイコン画像の色とが一致しない場合等がある。
【００８５】
図１２は、エラー画面の一例を示す図である。図１２を参照して、エラー画面１２０は、「アイコンが検出されません。」というメッセージ１２２を含む。エラー画面１２０は、ソフトキーとして、画像ファイル保存処理を再度実行する指示を入力するためのキー１２４と、画像ファイル保存処理を中止する指示を入力するためのキー１２６と、を含む。エラー画面１２０の表示後、制御部１０は、キー１２４又はキー１２６が押下されるまで待機する（ステップＳ２２にてＮＯ、ステップＳ２３にてＮＯ）。
【００８６】
ユーザーは、エラー画面１２０を確認して、例えば、原稿７０とは異なる原稿を用いて画像ファイル保存処理を実行するために、キー１２４を押下したものとする。制御部１０は、タッチパネル１５Ａを介してキー１２４の押下を検出すると、画像ファイル保存処理を再度実行する指示を受け付けたと判定し（ステップＳ２２にてＹＥＳ）、表示部１６に、設定画面６０を表示させる（ステップＳ２４）。
【００８７】
このとき、ステップＳ１０の実行時における設定内容はリセットされず維持されたままであり、制御部１０は、設定画面６０を、上記設定内容が反映された状態で表示部１６に表示させる。設定画面６０の表示後、制御部１０は、画像ファイル保存処理を終了させる。
【００８８】
一方、ユーザーが画像ファイル保存処理の中止を所望して、キー１２６を押下した場合、制御部１０は、タッチパネル１５Ａを介してキー１２６の押下を検出して、画像ファイル保存処理を中止する指示を受け付けたと判定し（ステップＳ２３にてＹＥＳ）、画像ファイル保存処理を終了させる。画像ファイル保存処理の終了後、制御部１０は、表示部１６にホーム画面５０を表示させる。
【００８９】
上記実施の形態によれば、制御部１０は、画像データに基づいて、予めＨＤＤ１９に記憶されているアイコンデータによって示されるアイコン画像が原稿に含まれると判定した場合に、当該アイコンデータに対応するパスによって示されるフォルダーに、画像データから生成された画像ファイルを保存する。
【００９０】
これによって、ユーザーは、原稿にアイコン画像を記載しておくのみで、保存先を指定する作業を行わなくても、アイコン画像に対応する保存先に画像ファイルを保存させることができる。したがって、操作部１５を介した画像ファイルの保存先情報の入力に要するユーザーの手間と時間とを省くことができるので、ユーザーの利便性が向上する。
【００９１】
また上記実施の形態によれば、制御部１０は、操作部１５を介して優先順位が指定された場合に、画像データに基づいて、指定された優先順位を示す順位情報に対応するアイコンデータによって示されるアイコン画像が原稿に含まれると判定した場合に、アイコンデータに対応するパスによって示されるフォルダーに、画像データから生成された画像ファイルを保存する。
【００９２】
これによって、ユーザーは、操作部１５を介して優先順位を指定するのみで、指定された優先順位に対応する保存先に画像ファイルを保存させることができるので、ユーザーの利便性がさらに向上する。
【００９３】
また上記実施の形態によれば、制御部１０は、操作部１５を介して優先順位の範囲が指定された場合に、画像データに基づいて、指定された範囲に含まれる複数の順位情報のそれぞれに対応する複数のアイコンデータのうちの少なくともいずれか１つによって示されるアイコン画像が原稿に含まれると判定した場合に、少なくともいずれか１つのアイコンデータに対応するパスによって示されるフォルダーに、画像データから生成された画像ファイルを保存する。
【００９４】
これによって、ユーザーは、操作部１５を介して優先順位の範囲を指定するのみで、指定された範囲に対応する複数の保存先に画像ファイルを保存させることができるので、ユーザーの利便性がさらに向上する。
【００９５】
また上記実施の形態によれば、制御部１０は、操作部１５を介してグループ名が指定された場合に、画像データに基づいて、指定されたグループ名に対応する複数のアイコンデータのうちの少なくともいずれか１つによって示されるアイコン画像が原稿に含まれると判定した場合に、少なくともいずれか１つのアイコンデータに対応するパスによって示されるフォルダーに、画像データから生成された画像ファイルを保存する。
【００９６】
これによって、ユーザーは、操作部１５を介してグループ名を指定するのみで、指定されたグループ名に対応する複数の保存先に画像ファイルを保存させることができるので、ユーザーの利便性がさらに向上する。
【００９７】
また上記実施の形態によれば、制御部１０は、画像データに基づいて、原稿に含まれる画像の色及び形状と、アイコンデータによって示されるアイコン画像の色及び形状とが一致する場合に、原稿に含まれる画像にアイコン画像が含まれると判定する。
【００９８】
これによって、アイコンデータによって示されるアイコン画像との類似性の高い画像が原稿に含まれる場合にのみ画像ファイルが保存されるので、安全性をより一層高めることができる。
【００９９】
（その他の変形例）
上記実施の形態によれば、記号としてアイコン画像が用いられたが、本発明はそのような実施の形態に限定されない。例えば、記号として、複数の英数字から構成されるキーコード、又は、アイコン画像とは異なる図形が用いられてもよい。
【０１００】
また上記実施の形態によれば、グループ情報としてグループ名が用いられたが、本発明はそのような実施の形態に限定されない。例えば、グループ情報として、グループを特定するための番号が用いられてもよい。
【０１０１】
また上記実施の形態によれば、画像ファイルは、文字群７１Ａ及び画像７１Ｂのみを示すように生成されたが、本発明はそのような実施の形態に限定されない。例えば、画像ファイルの生成時にアイコン画像７２乃至７８が削除されず、画像ファイルが、文字群７１Ａ及び画像７１Ｂと、アイコン画像７２乃至７８とを示すように生成されてもよい。
【０１０２】
また上記実施の形態によれば、ユーザーは、優先順位の下位のみを指定することによって、優先順位の範囲として、第１位から指定されている優先順位までの範囲を設定したが、本発明はそのような実施の形態に限定されない。例えば、ユーザーが優先順位の上位から下位までを指定することによって、優先順位の範囲を設定する構成であってもよい。
【０１０３】
また上記実施の形態によれば、制御部１０は、画像データからＰＤＦ形式の画像ファイルを生成したが、本発明はそのような実施の形態に限定されない。例えば、制御部１０は、ＴＩＦＦ(Tagged Image File Format)形式又はＪＰＥＧ形式(Joint Photographic Experts Group)形式の画像ファイルを生成してもよい。
【０１０４】
また上記実施の形態によれば、アイコン画像７２乃至７８は、アイコン画像を含む領域として予め定められるフッター領域７９に含まれていたが、本発明はそのような実施の形態に限定されない。例えば、アイコン画像が、原稿のヘッダー領域に含まれる構成であってもよい。また、アイコン画像が、原稿の余白部分として設定されている原稿の左端部若しくは右端部、又は、左端部及び右端部の両方に含まれる構成であってもよい。
【０１０５】
なお、本発明は上記実施の形態の構成に限られず種々の変形が可能である。例えば、上記実施の形態では、本発明に係る画像読取装置の一実施形態としてカラー複合機を用いて説明しているが、これは一例に過ぎず、モノクロ複合機、コピー機、又はファクシミリ装置等の他の電子機器であってもよい。
【０１０６】
また、図１乃至図１２を用いて上記実施形態により示した構成及び処理は、本発明の一実施形態に過ぎず、本発明を当該構成及び処理に限定する趣旨ではない。
【符号の説明】
【０１０７】
１    画像形成装置
２    画像読取装置
１０  制御部
１１  画像読取部
１５  操作部
１９  ＨＤＤ
１００  制御ユニット
【図１】
2020068517.tif 000003
【図２】
2020068517.tif 000004
【図３Ａ】
2020068517.tif 000005
【図３Ｂ】
2020068517.tif 000006
【図４】
2020068517.tif 000007
【図５】
2020068517.tif 000008
【図６】
2020068517.tif 000009
【図７】
2020068517.tif 000010
【図８】
2020068517.tif 000011
【図９】
2020068517.tif 000012
【図１０】
2020068517.tif 000013
【図１１】
2020068517.tif 000014
【図１２】
2020068517.tif 000015